(57)【要約】      （修正有）【課題】歯科用作業模型を片手でワンタッチで装着することができる歯科用作業模型の保持機構を提供する。【解決手段】歯形模型、固定用プレート及び支持基台を備えた歯科用作業模型と、歯科用作業模型を保持するための模型ホルダとから構成された歯科用作業模型の保持機構。模型ホルダ１２のホルダ側上壁７６には、支持基台側の一対の被案内リブ及び一対の突部に対応して一対のガイド手段８０及び一対の受け手段８８が設けられている。支持基台をホルダ側上壁７６に載置し、所定方向に移動させて支持位置に位置付けると、一対のガイド手段８０及び一対の被案内リブにより、模型ホルダ１２に対する支持基台の所定方向に対して垂直な方向の移動が阻止され、また一対の受け手段８８及び一対の突部の作用により、模型ホルダ１２に対する支持基台の所定方向の移動及び上方向への移動が阻止される。【選択図】図７
2020078371.tif 000002
【特許請求の範囲】
【請求項１】
歯形模型が固定される固定用プレート及び前記固定用プレートを支持するための支持基台を備えた歯科用作業模型と、前記歯科用作業模型を保持するために咬合器側に設けられた模型ホルダとから構成された歯科用作業模型の保持機構において、
前記歯形模型は部分タイプであり、このことに関連して、前記支持基台は、前記固定用プレートを支持するための支持領域を有する基台側上壁と、前記基台側上壁の外周部から下方に延びる基台側周側壁とを有し、前記模型ホルダは、前記歯科用作業模型の前記支持基台を支持するホルダ側上壁と、前記ホルダ側上壁の外周部から下方に延びるホルダ側周側壁とを有しており、
また、前記ホルダ側上壁の上面及び前記基台側上壁の内壁のいずれか一方には、前記模型ホルダに対して前記支持基台を所定方向に案内するための一対のガイド手段が設けられるとともに、それらの他方には、前記一対のガイド手段に案内される一対の被案内リブが設けられており、
更に、前記模型ホルダ及び前記支持基台のいずれか一方には、前記支持基台を前記模型ホルダの支持位置に保持するための一対の受け手段が設けられているとともに、それらの他方には、前記一対の受け手段に受け入れられる一対の突部が設けられており、
前記支持基台を前記所定方向に移動させて前記模型ホルダの前記支持位置に位置付けると、前記一対のガイド手段及び前記一対の被案内リブの作用によって、前記模型ホルダに対する前記支持基台の前記所定方向に対して垂直な方向の移動が阻止されるとともに、前記一対の受け手段及び前記一対の突部の作用によって、前記模型ホルダに対する前記支持基台の前記所定方向の移動及び上方向への移動が阻止されることを特徴とする歯科用作業模型の保持機構。
【請求項２】
前記支持基台の前記支持領域及び前記固定用プレートはそれぞれ横長に形成され、前記支持基台における前記基台側周側壁の両端部内面に前記一対の突部が設けられ、また前記模型ホルダにおける前記ホルダ側上壁の両端部に、前記一対の突部に対応して前記一対の受け手段が設けられ、前記一対の受け手段は、前記ホルダ側上壁の上面から上方に延びる当接壁部と、前記当接壁部の上端部から水平方向に延びる水平壁部とを有しており、前記支持基台を前記所定方向に移動させて前記模型ホルダの前記支持位置に位置付けると、前記支持基台側の前記一対の突部は、前記模型ホルダ側の前記一対の受け手段の対応する当接壁部に当接し、且つ前記一対の受け手段の対応する前記水平壁部の下側に位置付けられることを特徴とする請求項１に記載の歯科用作業模型の保持機構。
【請求項３】
前記一対のガイド手段は前記模型ホルダの前記ホルダ側上壁の上面に設けられ、前記一対の被案内リブは前記支持基台の前記基台側上壁の内面に設けられており、また前記一対のガイド手段は前記所定方向に延びる一対のガイド部材から構成され、前記一対のガイド部材間にガイド溝が規定され、前記一対の被案内リブは前記一対のガイド手段の前記ガイド溝に対応して設けられており、前記一対の被案内リブは、前記一対のガイド手段の前記ガイド溝に前記所定方向に移動自在に挿入されることを特徴とする請求項１又は２に記載の歯科用作業模型の保持機構。
【請求項４】
前記一対のガイド手段は前記模型ホルダの前記ホルダ側上壁の上面に設けられ、前記所定方向に延びるガイド部材から構成されており、また前記一対の被案内リブは前記支持基台の前記基台側上壁の内面に前記模型ホルダ側の前記一対のガイド手段に対応して設けられており、前記一対の被案内リブは、前記一対のガイド手段のガイド部材の外側又は内側に移動自在に位置付けられることを特徴とする請求項１又は２に記載の歯科用作業模型の保持機構。
【請求項５】
前記固定用プレートには間隔をおいて複数のダウエルピンが設けられ、前記支持基台の前記基台側上壁には前記複数のダウエルピンに対応して複数の挿入孔が設けられ、また前記基台側上壁の内面には前記複数の挿入孔を規定するための複数の筒状壁部が設けられ、更に前記支持基台の前記基台側周側壁には、前記複数の筒状壁部に接続される複数の補強用リブが設けられており、前記複数の補強用リブの一部が前記一対の被案内リブとして機能することを特徴とする請求項３又は４に記載の歯科用作業模型の保持機構。
【発明の詳細な説明】
【技術分野】
【０００１】
本発明は、歯科治療などで用いる歯科用作業模型を咬合器に取り付けるための歯科用作業模型の保持機構に関する。
【背景技術】
【０００２】
歯科用作業模型から歯科補綴物を製作するために咬合器が用いられている（例えば、特許文献１参照）。この咬合器は、歯科用作業模型が載置される固定用プレートと、固定用プレートの一端部に設けられた片側保持壁と、この固定用プレートの他端部に配設された他側保持壁とを備えている。固定用プレートの他端部には、上側プレート及び下側プレートが移動自在に配設され、この上側プレートを通して下側プレートに固定ねじが螺着され、他側保持壁が上側プレートに装着されている。また、片側保持壁には、他側保持壁に向けて突出する片側係止凸部が設けられ、他側保持壁には、片側保持壁に向けて突出する他側係止凸部が設けられている。
【０００３】
咬合器側のこのような構成に関連して、歯科用作業模型の支持基台の一端部には、咬合器側の片側係止凸部に対応して片側係止凹部が設けられ、その他端部には、咬合器側の他側係止凸部に対応して他側係止凹部が設けられている。
【０００４】
この咬合器に歯科用作業模型を装着するときには、咬合器側の固定ねじを緩めて上側プレート及び下側プレートを移動自在にし、この状態にて歯科用作業模型側の支持基台の片側係止凹部を咬合器側の片側保持壁の片側係止凸部に装着し、更に固定ねじを介して上側プレート及び下プレートを移動させてこの支持基台の他側係止凹部に他側保持壁の他側係止凸部を挿入した後に、この固定ねじを締め付けて固定する。このような装着状態においては、歯科用作業模型の一端側においては片側係止凹部が咬合器側の片側保持壁の片側係止凸部に係止され、その他端側においては他側係止凹部が咬合器側の他側保持壁の他側係止凸部に係止され、これにより、歯科用作業模型を咬合器に着脱自在に固定することができる。
【先行技術文献】
【特許文献】
【０００５】
【特許文献１】特開２００６−２５５３９１号公報
【発明の概要】
【発明が解決しようとする課題】
【０００６】
しかしながら、上述した咬合器を用いた歯科用作業模型の保持機構では、次の通りの問題がある。即ち、歯科用作業模型を咬合器に取り付けるときに、咬合器側の固定ねじを緩め、歯科用作業模型側の基台の片側係止凹部を咬合器側の片側保持壁の片側係止凸部に装着し、上側プレート及び下プレートを移動させてこの支持基台の他側係止凹部に他側保持壁の他側係止凸部を挿入し、しかる後に、この固定ねじを締め付けて固定するようになる。従って、このような歯科用作業模型の取付作業では、その取付作業を両手で行う必要があり、またこの歯科用作業模型を取り付けるための取付作業工程も多く、この取付作業が煩雑である。
【０００７】
本発明の目的は、歯科用作業模型を片手でワンタッチで装着することができる歯科用作業模型の保持機構を提供することである。
【課題を解決するための手段】
【０００８】
本発明の請求項１に記載の歯科用作業模型の保持機構は、歯形模型が固定される固定用プレート及び前記固定用プレートを支持するための支持基台を備えた歯科用作業模型と、前記歯科用作業模型を保持するために咬合器側に設けられた模型ホルダとから構成された歯科用作業模型の保持機構において、
前記歯形模型は部分タイプであり、このことに関連して、前記支持基台は、前記固定用プレートを支持するための支持領域を有する基台側上壁と、前記基台側上壁の外周部から下方に延びる基台側周側壁とを有し、前記模型ホルダは、前記歯科用作業模型の前記支持基台を支持するホルダ側上壁と、前記ホルダ側上壁の外周部から下方に延びるホルダ側周側壁とを有しており、
また、前記ホルダ側上壁の上面及び前記基台側上壁の内壁のいずれか一方には、前記模型ホルダに対して前記支持基台を所定方向に案内するための一対のガイド手段が設けられるとともに、それらの他方には、前記一対のガイド手段に案内される一対の被案内リブが設けられており、
更に、前記模型ホルダ及び前記支持基台のいずれか一方には、前記支持基台を前記模型ホルダの支持位置に保持するための一対の受け手段が設けられているとともに、それらの他方には、前記一対の受け手段に受け入れられる一対の突部が設けられており、
前記支持基台を前記所定方向に移動させて前記模型ホルダの前記支持位置に位置付けると、前記一対のガイド手段及び前記一対の被案内リブの作用によって、前記模型ホルダに対する前記支持基台の前記所定方向に対して垂直な方向の移動が阻止されるとともに、前記一対の受け手段及び前記一対の突部の作用によって、前記模型ホルダに対する前記支持基台の前記所定方向の移動及び上方向への移動が阻止されることを特徴とする。
【０００９】
また、本発明の請求項２に記載の歯科用作業模型の保持機構では、前記支持基台の前記支持領域及び前記固定用プレートはそれぞれ横長に形成され、前記支持基台における前記基台側周側壁の両端部内面に前記一対の突部が設けられ、また前記模型ホルダにおける前記ホルダ側上壁の両端部に、前記一対の突部に対応して前記一対の受け手段が設けられ、前記一対の受け手段は、前記ホルダ側上壁の上面から上方に延びる当接壁部と、前記当接壁部の上端部から水平方向に延びる水平壁部とを有しており、前記支持基台を前記所定方向に移動させて前記模型ホルダの前記支持位置に位置付けると、前記支持基台側の前記一対の突部は、前記模型ホルダ側の前記一対の受け手段の対応する当接壁部に当接し、且つ前記一対の受け手段の対応する前記水平壁部の下側に位置付けられることを特徴とする。
【００１０】
また、本発明の請求項３に記載の歯科用作業模型の保持機構では、前記一対のガイド手段は前記模型ホルダの前記ホルダ側上壁の上面に設けられ、前記一対の被案内リブは前記支持基台の前記基台側上壁の内面に設けられており、また前記一対のガイド手段は前記所定方向に延びる一対のガイド部材から構成され、前記一対のガイド部材間にガイド溝が規定され、前記一対の被案内リブは前記一対のガイド手段の前記ガイド溝に対応して設けられており、前記一対の被案内リブは、前記一対のガイド手段の前記ガイド溝に前記所定方向に移動自在に挿入されることを特徴とする。
【００１１】
また、本発明の請求項４に記載の歯科用作業模型の保持機構では、前記一対のガイド手段は前記模型ホルダの前記ホルダ側上壁の上面に設けられ、前記所定方向に延びるガイド部材から構成されており、また前記一対の被案内リブは前記支持基台の前記基台側上壁の内面に前記模型ホルダ側の前記一対のガイド手段に対応して設けられており、前記一対の被案内リブは、前記一対のガイド手段のガイド部材の外側又は内側に移動自在に位置付けられることを特徴とする。
【００１２】
更に、本発明の請求項５に記載の歯科用作業模型の保持機構では、前記固定用プレートには間隔をおいて複数のダウエルピンが設けられ、前記支持基台の前記基台側上壁には前記複数のダウエルピンに対応して複数の挿入孔が設けられ、また前記基台側上壁の内面には前記複数の挿入孔を規定するための複数の筒状壁部が設けられ、更に前記支持基台の前記基台側周側壁には、前記複数の筒状壁部に接続される複数の補強用リブが設けられており、前記複数の補強用リブの一部が前記一対の被案内リブとして機能することを特徴とする。
【発明の効果】
【００１３】
本発明の請求項１に記載の歯科用作業模型の保持機構によれば、模型ホルダのホルダ側上壁の上面（又は支持基台の基台側上壁の内面）に、模型ホルダに対して支持基台を所定方向に案内するための一対のガイド手段が設けられるとともに、支持基台の基台側上壁の内面（又は模型ホルダのホルダ側上壁の上面）に、一対のガイド手段に案内される一対の被案内リブが設けられ、また模型ホルダ（又は支持基台）には、支持基台を模型ホルダの支持位置に保持するための一対の受け手段が設けられているとともに、支持基台（又は模型ホルダ）には、一対の受け手段に受け入れられる一対の突部が設けられている。このように構成されているので、この支持基台を所定方向に移動させて模型ホルダの支持位置に位置付けると、一対のガイド手段及び一対の被案内リブの作用によって、模型ホルダに対する支持基台の所定方向に対して垂直な方向の移動が阻止されるとともに、一対の受け手段及び一対の突部の作用によって、模型ホルダに対する支持基台の所定方向の移動及び上方向への移動が阻止され、かくして支持基台を所定方向に移動させるという簡単な操作でもって、この支持基台（即ち、歯科用作業模型）を模型ホルダの支持位置に確実に保持することができる。
【００１４】
また、本発明の請求項２に記載の歯科用作業模型の保持機構によれば、支持基台における基台側周側壁の両端部内面に一対の突部が設けられ、また模型ホルダにおけるホルダ側上壁の両端部に一対の受け手段が設けられ、一対の受け手段は、ホルダ側上壁の上面から上方に延びる当接壁部と、この当接壁部の上端部から水平方向に延びる水平壁部とを有しているので、支持基台を所定方向に移動させて模型ホルダの支持位置に位置付けると、支持基台側の一対の突部が、模型ホルダ側の一対の受け手段の対応する当接壁部に当接し、且つ一対の受け手段の対応する水平壁部の下側に位置付けられ、これによって、支持基台の所定方向への移動及び上方向への移動を確実に阻止することができる。
【００１５】
また、本発明の請求項３に記載の歯科用作業模型の保持機構によれば、一対のガイド手段は模型ホルダのホルダ側上壁の上面に設けられ、一対の被案内リブは支持基台の基台側上壁の内面に設けられ、これらガイド手段は所定方向に延びる一対のガイド部材から構成されているので、支持基台側の一対の被案内リブは模型ホルダ側の一対のガイド手段のガイド溝に所定方向に移動自在に挿入され、従って、支持基台をガイド溝に沿って移動させることができるとともに、模型ホルダの支持位置においては、かかる一対のガイド手段により、支持基台の所定方向に対して垂直な方向への移動を確実の阻止することができる。
【００１６】
また、本発明の請求項４に記載の歯科用作業模型の保持機構によれば、一対のガイド手段は模型ホルダのホルダ側上壁の上面に設けられ、所定方向に延びるガイド部材から構成され、また一対の被案内リブは支持基台の基台側上壁の内面に設けられ、これら被案内リブが一対のガイド手段のガイド部材の外側（又は内側）に移動自在に装着されるので、支持基台を一対のガイド手段（ガイド部材）に沿って所定方向に移動させることができるとともに、模型ホルダの支持位置においては、かかる一対のガイド手段により、支持基台の所定方向に対して垂直な方向への移動を確実の阻止することができる。
【００１７】
更に、本発明の請求項５に記載の歯科用作業模型の保持機構によれば、支持基台の基台側上壁には複数のダウエルピンに対応して複数の挿入孔が設けられ、またこの基台側上壁の内面には複数の挿入孔を規定するための複数の筒状壁部が設けられ、これら複数の筒状壁部に接続される複数の補強用リブが設けられ、これら補強用リブの一部が一対の被案内リブとして機能するので、これら補強用リブを所定方向に移動させるための被案内リブとして利用することができる。
【図面の簡単な説明】
【００１８】
【図１】本発明に従う歯科用作業模型の保持機構の一実施形態を備えた咬合器の一例を示す側面図。
【図２】模型ホルダに歯科用作業模型の支持基台を装着した状態を示す平面図。
【図３】図２におけるＩＩＩ−ＩＩＩ線による断面図。
【図４】図２におけるＩＶ−ＩＶ線による断面図。
【図５】図２における歯科用作業模型の支持基台を上面側から見た斜視図。
【図６】図５の支持基台を底面側から見た斜視図。
【図７】図２における模型ホルダを上面側から見た斜視図。
【図８】図１の歯科用作業模型の保持機構における模型ホルダ側の一対のガイド手段と支持基台側の一対の被案内リブとの位置関係を示す説明図。
【図９】模型ホルダ側の一対のガイド手段及び支持基台側の一対の被案内リブの変形形態おける位置関係を示す説明図。
【図１０】模型ホルダ側の一対のガイド手段及び支持基台側の一対の被案内リブの他の変形形態おける位置関係を示す説明図。
【発明を実施するための形態】
【００１９】
以下、添付図面を参照して、本発明に従う歯科技工用作業模型の保持機構の各種実施形態について説明する。まず、図１〜図８を参照して、一実施形態の歯科用作業模型の保持機構を備えた咬合器の一例について説明する。
【００２０】
図１において、図示の咬合器２は、相互に回動自在に装着された下取付枠４及び上取付枠６を備え、この下取付枠４に下側の模型ホルダ取付体８が取り付けられ、上取付枠６に上側の模型ホルダ取付体１０が取り付けられる。そして、下側の模型ホルダ取付体８に下側の模型ホルダ１２が取り付けられ、この下側の模型ホルダ１２に下側の歯科用作業模型１４が後述する如く取り付けられる。また、上側の模型ホルダ取付体１０には上側の模型ホルダ１６が取り付けられ、この上側の模型ホルダ１６に上側の歯科用作業模型１８が取り付けられる。
【００２１】
下側の模型ホルダ取付体８及び下側の模型ホルダ１２と上側の模型ホルダ取付体１０及び上側の模型ホルダ１６とは実質上同一の構成でよく、また下側の模型ホルダ１２への下側の歯科用作業模型１４の保持機構と上側の模型ホルダ１６への上側の歯科用作業模型１８の保持機構とは実質上同一の構成でよく、以下、下側の模型ホルダ１２などの構成について説明する。この説明では、「下側」の構成要素と上側の構成要素が実質上同一であり、それ故に、単に、「模型ホルダ」などと「下側」及び「上側」を省略して説明する。
【００２２】
尚、この実施形態では、下取付枠４に下側の模型ホルダ取付体８を介して下側の模型ホルダ１２を取り付けているが、この模型ホルダ取付体８を省略し、下側の模型ホルダ１２を下取付枠４に直接的に取り付けるようにしてもよい。また、上取付枠６に上側の模型ホルダ取付体１０を介して上側の模型ホルダ１６を取り付けているが、この模型ホルダ取付体１０を省略し、上側の模型ホルダ１６を上取付枠１０に直接的に取り付けるようにしてもよい。
【００２３】
図２〜図４を参照して、図示の歯科用作業模型１４（１８）は、模型ホルダ１２（１６）に取り付けられる支持基台２０と、この支持基台２０に支持される固定用プレート２２とを有し、この固定用プレート２２に歯形模型２４が例えば接着剤により固定される。尚、この実施形態では、歯形模型２４として例えば５つの歯形を有する部分タイプのものに適用している。
【００２４】
図５及び図６をも参照して支持基台２０について説明すると、図示の支持基台２０は支持基台本体２６を備え、この支持基台本体２６は、例えばポリエチレン樹脂やポリプロピレン樹脂などの合成樹脂から形成される。この支持基台本体２６は、図２及び図３において左右方向、図３において紙面に対して垂直な方向に細長い、即ち横長に形成された基台側上壁２８と、この基台側上壁２８の外周部から下方に延びる基台側周側壁３０とを有している。この実施形態では、基台側上壁２８の上面（支持基台２０の上面を規定する部分）の全域は、図３から理解されるように、固定用プレート２２を支持するための支持領域３２として機能する。
【００２５】
この支持基台本体２６の支持領域３２（基台側上壁２８）には、その長手方向（図２及び図３において左右方向、図３において紙面に垂直な方向、図５及び図６において左下から右上の方向）に間隔を置いて５個の外側挿入孔３４及び５個の内側挿入孔３５が設けられ、これら挿入孔３４，３５は、幅方向（長手方向に対して垂直な方向であって、図２において上下方向、図３において紙面に対して垂直な方向、図４において左右方向、図５及び図６において右下から左上の方向）に間隔をおいて２列に設けられている。
【００２６】
この形態では、図２及び図４に示すように、２列の挿入孔３４，３５（外側挿入孔３４及び内側挿入孔３５）は、支持基台２０の幅方向における中心線Ｓよりも片側に設けられており、このように挿入孔３４，３５を片側に配置した場合、この片側（図２において上側、図４において左側）から歯科模型２４を切断するようになる。
【００２７】
また、基台側周側壁３０の内側に形成された内部空間３３には、各挿入孔３４，３５に対応して基台側上壁２８の内面から下方に延びる筒状壁部３６，３７が設けられ、各挿入孔３４，３５は基台側上壁２８及び筒状壁部３６，３７を貫通して設けられ、この形態では、筒状壁部３６，３８は、一体的となるように接続した状態で設けられている（図３及び図４参照）。尚、各挿入孔３４，３５は、筒状壁部３６，３７の上端部から下端部に向けて内径が漸減するテーパ状に形成されている。
【００２８】
この形態では、これら筒状壁部３６，３７に対応して補強用リブ７０が設けられ、補強用リブ７０は、支持基台２０の基台側周側壁３０（具体的には、その片側壁部）と筒状壁部３６とを接続する片側リブ部７０ａと、この基台側周側壁３０（具体的には、その他側壁部）と他方の筒状壁部３７とを接続する他側リブ部７０ｂとを有し、支持基台２０の基台側上壁８の内面から下方に筒状壁部３６，３７の先端部まで延びている。
【００２９】
この実施形態では、挿入孔３４，３５の間隔が小さく、それ故に、片側の筒状壁部３６と他側の筒状壁部３７とが接続されているが、挿入孔３４，３５の間隔が大きいときには、片側の筒状壁部３６と他側の筒状壁部３７とを離隔するように設け、これら片側の筒状壁部３６と他側の筒状壁部３７とを中間リブ部で接続するようにしてもよい。また、筒状壁部３６，３７を介して接続する補強用リブ７０に加えて、基台側周側壁３０の対向する壁部を直接接続する補強用リブ（図示せず）を設けるようにしてもよい。
【００３０】
また、この支持基台２０の基台側周側壁３０の両端部（その長手方向の端壁部）には、内側に突出する一対の突部７２，７３が設けられている。一対の突部７２，７３は適宜の形状でよく、この形態では矩形状に形成され、後述するように、この支持基台２０を模型ホルダ１２（１６）の支持位置（図１〜図４に示す状態の位置）に位置付け保持するときに用いられる。
【００３１】
この基台側上壁２８の上面（即ち、支持領域３２）における片側側部（図２及び図５において上側の側部、図４において左側の側部）には、上方に突出する片側係合突条３８が設けられ、その他側側部には（図２及び図５において下側の側部、図４において右側の側部）には、上方に突出する他側係合突条４０が設けられている。片側係合突条３８及び他側係合突条４０は、相互に対向して配置され、支持基台本体２６の長手方向略全長にわたって設けられている。
【００３２】
この支持基台２０（支持基台本体２６）の片側係合突条３８には、そのほぼ全長にわたって片側傾斜突部４２が設けられ、この片側傾斜突部４２は、片側係合突条３８の内側面から内側に延び、その上面は内側に向けて下方に傾斜して基台側上壁２８の上面まで延びている（図４参照）。また、支持基台２０（支持基台本体２６）の他側係合突条４０には、そのほぼ全長にわたって他側傾斜突部４４が設けられており、この他側傾斜突部４４は、他側係合突条４０の内側面から内側に延び、その上面は内側に向けて下方に傾斜して基台側上壁２８の上面まで延びている（図４参照）。
【００３３】
この形態では、更に、片側傾斜突部４２にその長手方向に間隔をおいて複数の片側係合凹部４６が設けられ、これら片側係合凹部４６は、支持基台本体２６の基台側上壁２８の上面まで延びている。また、他側傾斜突部４４においてはその長手方向に間隔をおいて複数の他側係合凹部４８が設けられ、これら他側係合凹部４８は、片側係合凹部４６と同様に、支持基台本体２６の基台側上壁２８の上面まで延びている。
【００３４】
また、支持基台本体２６の基台側周側壁３０の外周面には、対となる挿入孔３４，３５に対応して位置決め用突部５０が設けられている。この位置決め用突部５０は、挿入孔３４，３５を挟んでそれらの両側に設けられている。これらの位置決め用突部５０は、固定用プレート２２を形成する際に用いる成型用基枠（図示せず）を位置決めするための位置決め機能を有するとともに、歯科模型２４を切断する際のダウエルピン６０，６１（図４参照）の配置位置を示すピン位置表示機能を有している。尚、この形態では、基台側周側壁３０の両端面にも位置決め突部５１が設けられている。
【００３５】
次いで、図４を参照して、この支持基台２０の支持領域３２に支持される固定用プレート２２について説明する。図示の固定用プレート２２は、石膏から形成されたプレート本体６２を備え、このプレート本体６２は、支持基台本体２６の上壁２８（即ち、支持領域３２）の形状に対応した横長の形状を有している。固定用プレート２２には、支持基台本体２６の挿入孔３４，３５に対応してダウエルピン６０，６１が固定され、これらダウエルピン６０，６１の先端側が対応する挿入孔３４，３５に挿入され（図４において、それらの１組を示す）、この固定用プレート本体６２の上面に接着剤などにより歯形模型２４が固定される。ダウエルピン６０，６１は、挿入孔３４，３５が先細のテーパ状に形成されていることに対応して、その基端部から先端部に向けて外径が漸減するテーパ状に形成されている。
【００３６】
固定用プレート２２（即ち、プレート本体６２）の下面における片側側部には、支持基台２０側の片側係合突条３８に対応して片側係合凹条６４が設けられ、その他側側部には、支持基台２０側の他側係合突条４０に対応して他側係合凹条６６が設けられ、また固定用プレート２２（プレ−ト本体６２）の下面には、支持基台２０側の片側傾斜突部４２に対応して片側傾斜凹部（図示せず）が設けられ、その他側傾斜突部４４に対応して他側傾斜凹部（図示せず）が設けられる。
【００３７】
更に、支持基台２０側の片側傾斜突部４２に設けられた複数の片側係合凹部４６に対応して、固定用プレート２２の片側傾斜凹部に複数の片側係合突部（図示せず）が設けられるとともに、その他側傾斜突部４４に設けられた複数の他側係合凹部４８に対応して固定用プレート２２の他側傾斜凹部に複数の他側係合突部（図示せず）が設けられる。
【００３８】
次に、図２〜図４及び図７を参照して模型ホルダ１２（１６）について説明すると、図示の模型ホルダ１２は、支持基台２０（支持基台本体２６）よりも少し大きいホルダ本体７４を備え、このホルダ本体７４は、支持基台本体２６と同様に、例えばポリエチレン樹脂やポリプロピレン樹脂などの合成樹脂から形成される。このホルダ本体７４は、支持基台２０の基台側周側壁３０の外形よりも少し大きいホルダ側上壁７６と、このホルダ側上壁７６の外周部から下方に延びるホルダ側周側壁７８とを有している。
【００３９】
この実施形態では、模型ホルダ１２（ホルダ本体７４）のホルダ側上壁７６には、一対のガイド手段８０が設けられている。図８をも参照して、一対のガイド手段８０は、ホルダ本体７４の長手方向（図７において左下から右上の方向、図８において左右方向）に間隔をおいて配設された一対のガイド部材、即ち内側に配置されたガイド部材８２と外側に配置されたガイド部材８３とから構成されている。一対のガイド部材８２，８３は、支持基台２０を装着するときに移動される所定方向（模型ホルダ１２の長手方向に対して垂直な方向であって、図７において右下から左上の方向、図８において上下方向）に延び、かかるガイド部材８２，８３間に所定方向に延びるガイド溝８４を規定する。
【００４０】
一対のガイド部材８２，８３間のガイド溝８４には、特定の補強用リブ７０（具体的には、その他側リブ部７０ｂ）が挿入される。この形態では、５つの補強用リブ７０のうち両外側から第２番目のもの（図６において左側から第２番目及び第４番目のもの）の他側リブ部７０ｂが、対応するガイド手段８０のガイド溝８４に挿入され（図８参照）、かかるガイド溝８４に沿って移動される。従って、この形態では、特定の補強用リブ７０が、一対のガイド手段８０に挿入される一対の被案内リブを構成する。
【００４１】
一対のガイド部材８２，８３の先端部における相互に対向する部位には、先端に向けて外側に傾斜する開口傾斜面８６，８７を設けるのが好ましく、かかる開口傾斜面８６，８７を設けることにより、特定の補強用リブ７０（被案内リブ）のガイド溝８４への挿入が容易となる。尚、一対の被案内リブとして複数の補強用リブの一部を利用するのではく、支持基台２０の基台側上壁２８の内面に専用の被案内リブを設けるようにしてもよい。
【００４２】
この模型ホルダ１２（ホルダ本体７４）のホルダ側上壁７６の両端部には、支持基台２０側の一対の突部７２に対応して、一対の受け手段８８が設けられ、これら受け手段８８は、対応する支持基台２０側の突部７２を受け入れる受け部材９０から構成されている。各受け部材９０は、ホルダ側上壁７６の上面から上方に延びる本体部９２を有し、この本体部９２の側部に外側に突出する当接壁部９４が設けられ、この当接壁部９４もホルダ側上壁７６から上方に延びている。また、この本体部９２及び当接壁部９４の上端部にわたって水平壁部９６が設けられ、これら本体部９２、当接壁部９４及び水平壁部９６によって、支持基台２０側の突部７２を受け入れる受け凹部を規定する。尚、後の記載から理解される如く、充分な強度を確保できるときには、この本体部９２を省略し、受け手段８８を当接壁部９４及び水平壁部９６から構成するようにしてもよい。
【００４３】
次に、上述した咬合器２における模型ホルダ１２への歯科用作業模型１４（支持基台２０）の取付けについて説明する。歯科用作業模型１４を取り付けるには、模型ホルダ１２の上方から一対のガイド手段８０のガイド溝８４内に歯科用作業模型１４（支持基台２０）側の特定の補強用リブ７０（具体的には、他側リブ部７０ｂ）を挿入するようにして模型ホルダ１２のホルダ側上壁７６に載置する。かく載置すると、図３、図４及び図８から理解されるように、支持基台２０側の特定の補強用リブ７０が基台側上壁７６の一対のガイド手段８０のガイド溝８４に所定方向に移動自在に挿入され、支持基台２０の基台側周側壁３０が模型ホルダ１２のホルダ側上壁７６に載置支持される。
【００４４】
そして、この載置状態において、歯科用作業模型１４（支持基台２０）を所定方向にスライド移動させてホルダ本体７４（具体的には、ホルダ側上壁７６）の支持位置（図１〜図４に示す位置）に位置付ける。かく移動させると、支持基台２０側の一対の突部７２が模型ホルダ１２側の一対の受け手段８８の受け凹部に受け入れられ、一対の突部７２が対応する受け手段８８の当接壁部９４に当接するとともに、対応する受け手段８８の水平壁部９６の下側に位置付けられる。
【００４５】
この受入れ状態（即ち、支持位置に位置付けた状態）においては、支持基台２０側の一対の突部７２の所定方向の移動が一対受け部材８８の当接壁部９４により阻止され、またこれら突部７２の上方への移動が一対の受け部材８８の水平壁部９６により阻止される。更に、支持基台２０側の特定の補強用リブ７０（他端側リブ部７０ｂ）の所定方向に対して垂直方向の移動が一対のガイド手段８０（一対のガイド部材８２，８３）により阻止され、従って、この支持基台２０（即ち、歯科用作業模型１４）を模型ホルダ１２の支持位置に確実に載置支持することができる。
【００４６】
このように、支持基台２０側の特定の補強用リブ７０を模型ホルダ１２側の一対のガイド手段８０のガイド溝８４に挿入するように歯科用作業模型１４（支持基台２０）を模型ホルダ１２に載置し、この載置状態において所定方向に移動させることにより、この支持基台２０を模型ホルダ１２に確実に取り付けることができ、その取付操作は片手で簡単に行うことができ、模型ホルダ１２への取付け作業効率を高めることができる。
【００４７】
尚、この載置支持をより確実にするために、受け部材９０の水平壁部９６の内面（突部７２と接触する面）を所定方向下流側に向けて（換言すると、当接壁部９４側に向けて）ホルダ側上壁７６に幾分近接するように傾斜させるように構成する、或いは突部７２の上面（水平壁部９６と接触する面）を所定方向下流側に向けて（換言すると、当接壁部９４側に向けて）上方に幾分傾斜させるように構成するのが好ましく、このように構成することにより、所定の支持位置まで移動させると、一対の受け部材９０の水平壁部９６が一対の突部７２を弾性的に幾分押圧するようになり、これによって、歯科用作業模型１４（支持基台２０）を模型ホルダ１２により確実に載置支持することができる。
【００４８】
上述した実施形態では、一対のガイド手段８０をそれぞれ一対のガイド部材８２，８３から構成しているが、これらガイド手段を図９又は図１０で示すように構成することもできる。図９において、この変形形態では、一対のガイド手段８０Ａは、一つのガイド部材８２Ａ（上述の実施形態のガイド手段８０における内側のガイド部材８２）から構成されている。この変形形態におけるその他の構成は、上述した実施形態と実質上同一である。
【００４９】
このように構成した場合、歯科用作業模型１４（支持基台２０）を模型ホルダ１２に載置する際に、一対の特定補強用リブ７０（それらの他側リブ部７０ｂ）（被案内リブ）は、一対のガイド手段８０Ａのガイド部材８２Ａの外側に位置付けられる。そして、支持位置に移動させるときに、一対の特定補強用リブ７０は、一対のガイド手段８０Ａのガイド部材８２Ａの外面に沿って移動され、所定方向に対して垂直な方向の移動は、これらガイド部材８２Ａによって阻止され、このように構成しても上述したと同様の作用効果を達成することができる。
【００５０】
また、図１０において、この他の変形形態では、一対のガイド手段８０Ｂは、一つのガイド部材８３Ｂ（上述の実施形態のガイド手段８０における外側のガイド部材８３）から構成されている。この他の変形形態におけるその他の構成は、上述した実施形態と実質上同一である。
【００５１】
このように構成した場合、歯科用作業模型１４（支持基台２０）を模型ホルダ１２に載置する際に、一対の特定補強用リブ７０（それらの他側リブ部７０ｂ）（被案内リブ）は、一対のガイド手段８０Ｂのガイド部材８３Ｂの内側に位置付けられる。そして、支持位置に移動させるときに、一対の特定補強用リブ７０は、一対のガイド手段８０Ｂのガイド部材８３Ｂの内面に沿って移動され、所定方向に対して垂直な方向の移動は、これらガイド部材８３Ｂによって阻止され、このように構成しても上述したと同様の作用効果を達成することができる。
【００５２】
以上、本発明に従う歯科用作業模型の保持機構の一実施形態について説明したが、本発明はこのような実施形態に限定されず、本発明の範囲を逸脱することなく種々の変更乃至修正が可能である。
【００５３】
例えば、上述した実施形態では、挿入孔３４，３５を２列に設けた（ダウエルピン６０，６１を２列に設けた）歯科用作業模型１４（支持基台２０）に適用して説明したが、このような形態のものに限定されず、これら挿入孔を１列に設けた（ダウエルピンを１列に設けた）歯科用作業模型（支持基台）にも同様に適用することができる。
【００５４】
また、例えば、上述した実施形態では、一対の被案内リブ（特定補強用リブ７０）を支持基台２０側に設け、一対のガイド手段８０（８０Ａ，８０Ｂ）を模型ホルダ１２（１６）側に設けているが、これとは反対に、一対の被案内リブを模型ホルダ１２（１６）側に設け、一対のガイド手段８０（８０Ａ，８０Ｂ）を支持基台２０側に設けるようにしてもよい。
【００５５】
更に、上述した実施形態では、一対の突部７２を支持基台２０側に設け、一対の受け手段８８を模型ホルダ１２側に設けているが、これとは反対に、一対の突部７２を模型ホルダ１２側に設け、一対の受け手段８８を支持基台２０側に設けるようにしてもよい。
【符号の説明】
【００５６】
２  咬合器
１２，１６  模型ホルダ
１４，１８  歯科用作業模型
２０  支持基台
２２  固定プレート
２８  基台側上壁
３０  基台側周側壁
６０，６１  ダウエルピン
７０  補強用リブ（被案内リブ）
７２  突部
７６  ホルダ側上壁
７８  ホルダ側周側壁
８０  ガイド手段
８２，８２Ａ，８３，８３Ｂ  ガイド部材
８８  受け手段
９０  受け部材
９４  当接壁部
９６  水平壁部
【図１】
2020078371.tif 000003
【図２】
2020078371.tif 000004
【図３】
2020078371.tif 000005
【図４】
2020078371.tif 000006
【図５】
2020078371.tif 000007
【図６】
2020078371.tif 000008
【図７】
2020078371.tif 000009
【図８】
2020078371.tif 000010
【図９】
2020078371.tif 000011
【図１０】
2020078371.tif 000012